(57)【特許請求の範囲】
【請求項１】
回路基板上に搭載され該回路基板表面に対し立設した発光面を有する発光部品と、
前記回路基板上の、前記発光面前方の、前記発光部品に隣接した位置に配置された、少なくとも前記発光面に対面する部分が金属表面からなる搭載部品と、
前記回路基板の、前記発光部品と前記搭載部品との間の空隙を含む領域を覆って外観の一部を形成する、光を透過拡散させる透過拡散板とを有し、
前記透過拡散板が、表面に金属膜が蒸着された光透過性樹脂からなることを特徴とする電子機器。
【請求項２】
前記搭載部品が、切替レバーを有し該切替レバーの倒れた方向を検出するスイッチモジュールであることを特徴とする請求項１記載の電子機器。
【請求項３】
撮影レンズと、撮像素子と、操作を受けて合焦距離範囲を切り替えるとともに前記切替レバーに干渉する切替機構とを有するカメラモジュールを備え、
前記スイッチモジュールが、前記切替機構の、操作に応じた動きを検出するものであることを特徴とする請求項２記載の電子機器。
【請求項４】
前記発光部品が、前記回路基板表面に沿う方向に発光するＬＥＤであることを特徴とする請求項１から３のうちいずれか１項記載の電子機器。
【発明の詳細な説明】
【技術分野】
【０００１】
本件は、電子機器に関し、特には、その電子機器の特定の、あるいは様々な状態を知らせるための発光体を備えた電子機器に関する。
【背景技術】
【０００２】
電子機器の中には、ＬＥＤ等の発光体を備え、その発光体の点灯や点滅等によりその電子機器の状態をユーザに知らせる構成のものも多い。例えば携帯電話機では、ＬＥＤの発光およびその発光の態様（発光色、点滅周期など）で電話の着信やＥメールの受信などを知らせる構成が採用されている。
【０００３】
ここで、大きな発光面を有するＬＥＤは高価であるとともに寸法が大きいため、電子機器の大型化やコストアップを防ぐ観点から、携帯電話機等の小型の電子機器に搭載されるＬＥＤとしては寸法の小さいＬＥＤが採用される。一方、そのＬＥＤを使って何らかの状態をユーザに伝えるにあたっては、表示の分かり易さやデザイン性を考慮し、かなり広い領域全体を光らせることが好ましい。通常、その電子機器の外形を形成するカバーは、その電子機器内部に配置される回路基板と平行な広がりを有するため、そのカバーの一部領域を光らせるにあたってはその一部領域を透過拡散板で形成し、回路基板上には、その回路基板表面と平行な発光面を有する面発光ＬＥＤを搭載し、その回路基板表面に対し垂直な方向に発光させてその透過拡散板を内側から照明することが考えられる。しかしながら、寸法の小さなＬＥＤの場合、透過拡散板が一様には光らずに、透過拡散板のうちの、直下にＬＥＤが配置された部分のみがスポット的に強く光ってしまうという問題がある。
【０００４】
また、寸法の小さなＬＥＤであってもそれを複数個配列して、それら複数個のＬＥＤで透過拡散板を分担して発光させることも考えられる。しかしながら、少数のＬＥＤでは透過拡散板に複数の光スポットが形成されるだけであって一様には光らず、透過拡散板を一様に光らせるには多数のＬＥＤを必要とし、その分回路基板上でＬＥＤが広い面積を占めるため大型化を招くおそれがあり、また、ＬＥＤの個数が増えることによってコストアップの要因にもなる。
【発明の開示】
【発明が解決しようとする課題】
【０００５】
上記事情に鑑み、本件は、寸法の小さい発光体で広い面積の発光領域を光らせることのできる構造の電子機器を提供することにある。
【課題を解決するための手段】
【０００６】
本件開示の電子機器は、
回路基板上に搭載されその回路基板表面に対し立設した発光面を有する発光部品と、
上記回路基板上の、上記発光面前方の、その発光部品に隣接した位置に配置された、少なくとも上記発光面に対面する部分が金属表面からなる搭載部品と、
上記回路基板の、上記発光部品と上記搭載部品との間の空隙を含む領域を覆って外観の一部を形成する、光を透過拡散させる透過拡散板とを有する。
【０００７】
本件開示の電子機器は、回路基板表面に対し立設した発光面を有する発光部品からその回路基板表面に沿う方向に発光させ、その発光面の直ぐ前方に金属面を置いた構造を有するものである。発光面からは、光がある程度の広がり角を持って出射するため、その光は、金属面上にある程度の広い面積の光スポットを形成し、その金属面で反射した光はかなり広い面積の発光体と同様の作用を成す。この金属面で反射した光は未だ全体としては回路基板表面に対し平行な方向に進み、回路基板上の他の様々な部品や回路基板周辺の構造体などでランダムに反射して透過拡散板を照明する。このため、小さい発光体で広い面積の透過拡散板を、目視上ほぼ一様な明るさで光らせることができる。
【発明の効果】
【０００８】
本件開示の電子機器によれば、寸法の小さい発光部品で広い面積の発光領域を光らせることができる。
【発明を実施するための最良の形態】
【０００９】
以下、本件開示の電子機器の実施形態について説明する。ここでは、電子機器の一例として無線電話機能やＥメール送受信機能を有する携帯電話機を取り挙げて説明する。
【００１０】
図１は、本件開示の電子機器の一実施形態としての携帯電話機の、開状態の正面図、図２は、図１と同じ携帯電話機の開状態の背面図、図３は、図１、図２と同じ携帯電話機の、閉状態の正面図である。
【００１１】
この携帯電話機１０は、図１に示すように、配列された多数の操作キー２１が配列された操作ユニット２０と、正面に画像表示用のメイン画面３１を備えた表示ユニット３０とを有し、それら操作ユニット２０と表示ユニット３０が、ヒンジ部４０で、図１、図２に示す開状態と図３に示す閉状態との間で開閉自在に連結された構造を有する。
【００１２】
操作ユニット２０には、多数の操作キー２１のほか、内部に配置されたマイクロホンに声を導く送話口２２（図１）、ストラップを取り付けるためのストラップ取付穴２３（図２）、内部のスピーカからの音声を出力する放音口２４（図２）、内部の電池を覆う電池カバー２５（図２）、および操作により大音量の音声を出力する防犯ブザー用操作子２６（図２）などが備えられている。
【００１３】
また、表示ユニット３０には、メイン画面３１のほか、後述するカメラユニットの撮影範囲を、接写撮影と通常撮影とに切り替える切替操作子３２（図１）、内部のスピーカからの音声をユーザの耳に導く受話口３３（図１）、電話番号を割り当てておいてその電話番号に直ちにダイヤルするための３つの短縮ダイヤルボタン３４（図１）、内蔵カメラに被写体光を導く撮影窓３５（図２、図３）、電話の着信やＥメールの受信などを知らせるための、透過拡散板で覆われたイルミネーション窓３６（図２、図３）、および閉状態における表示用のサブ画面３７（図２、図３）などが配置されている。
【００１４】
図４は、図３に示す円Ｒ１の部分を少し斜めに示した拡大図、図５は、図４と同じ部分を、透過拡散板を取り外して示した図、図６は、図４、図５と同じ部分を、カバーを取り外して回路基板を示した図である。
【００１５】
撮影窓３５の近くに設けられたイルミネーション窓３６は、図５に示す開口３６２を透過拡散板３６１（図４）で塞いだ構造を有し、その開口３６２の内側には、回路基板３８の一部分が露出している。透過拡散板３６１は、表面に金属蒸着膜が形成された透明プラスチックで形成されている。図５に示すように、開口３６２からは、回路基板３８のうちの、ＬＥＤ３８１とスイッチモジュール３８２とに挟まれた間隙３８３を含む領域が露出している。ＬＥＤ３８１の発光面３８１ａは、回路基板３８に対して立設したスイッチモジュール３８２を向いた端面である。また、図６に示すように、スイッチモジュール３８２は切替レバー３８２ａを有し、この切替レバー３８２ａの切替え状態を出力するスイッチモジュールであり、その切替レバー３８２ａを除く部分は金属で覆われている。また、この回路基板３８上には、ＬＥＤ３８１とスイッチモジュール３８２だけでなくその周囲に多数の回路素子が配置されている。また、図６に示すように、撮影窓３５の内側にはカメラモジュール３９が配置されている。
【００１６】
図７は、図３に示す円Ｒ２の部分を、カバーを取り外して示した平面図、図８は、カメラモジュール、スイッチモジュール、およびＬＥＤを結ぶ線分での断面図、図９は、図８に示す円Ｒ３の部分の拡大断面図である。
【００１７】
カメラモジュール３９は、図８に示す切替操作子３２（図１を合わせて参照）をスライド操作するとその操作がアーム３９１ａ（図７）に伝わり、そのアーム３９１ａを含む切替機構３９１が回動する。このカメラモジュール３９は、この切替機構３９１のほか、撮影レンズ３９２と、その撮影レンズ３９２の結像面に配置された撮像素子（図示せず）を備えている。この切替機構３９１は、回動することによって撮影レンズ３９２を光軸方向に移動させ、合焦撮影範囲を接写撮影と通常撮影とに切り替える機構である。切替操作子３２をスライドさせて切替機構３９１を回動させると、その回動の動きがその切替機構３９のもう１つのアーム３９１ｂを介してスイッチモジュール３８２の切替レバー３８２ａに伝えられ、スイッチモジュール３８２のスイッチの状態が切り替えられ、これにより接写モードと通常モードとの切り替えがこの携帯電話機に認識される。
【００１８】
また、このカメラモジュール３９に隣接した位置にはスピーカ５１が備えられている。図１と図２とを見比べると分かるように、撮影窓３５の裏側には受話口３３が設けられているが、その内部にあるスピーカ５１は、その受話口３３とは少し横にずれた位置に配置されている。これは、この携帯電話機１０の表示ユニット３０の厚み等の制約からカメラモジュール３９とスピーカ５１を厚み方向に重なる位置に配置することができないため横に並べて配置し、受話口３３は、デザイン上、厚み方向についてカメラモジュール３９と重なる左右の中央に設けたものである。
【００１９】
ＬＥＤ３８１は、この携帯電話機１０で電話の着信やＥメールの受信等があったときにあらかじめ設定された態様で光を発するものである。このＬＥＤ３８１は、回路基板３８に対し立設した発光端面３８１ａから光を出射し、その光は、スイッチモジュール３８２の、ＬＥＤ３８１の発光端面３８１ａと対向する対向面３８２ｂで反射する。このとき、発光端面３８１ａから出射した光は、図９に示すように所定の広がり角を持って進行しスイッチモジュール３８２の対向面３８２ｂではある程度広がった光スポットを形成して反射する。この対向面３８２ｂで反射した光は、全体としては回路基板３８に平行な方向に進む光であり、イルミネーション窓３６の方向とは向きが異なる。この対向面３８２ｂで反射した光は、一部は直接にイルミネーション窓３６に配置された透過拡散板３６１に向かって進むが、残りの光は、回路基板３８上に配置された様々な回路素子や回路基板３８の周囲の様々な構造物でランダムに反射して透過拡散板３６１に向かう。このためこの透過拡散板３６１は、イルミネーション窓３６を構成する開口３６２（図５参照）の全域に亘ってほぼ一様な明るさで光る。
【００２０】
ここで、ＬＥＤ３８１の発光端面３８１ａの前面に金属で覆われたスイッチモジュール３８２が存在せずその発光端面３８１ａの前面が広く空いた状態でＬＥＤ３８１を点灯させると、透過拡散板３６１上に中央のみ強く光るスポットが形成されてしまう結果となる。これは、スイッチモジュール３８２の対向面３８２ｂで大きな光スポットを形成して実質的に広い発光スポットを形成させる効果がないためと考えられる。
【００２１】
本実施形態ではＬＥＤ３８１の発光端面３８１ａの前面に金属で覆われたスイッチモジュール３８２を配置しその金属面で一旦反射させるようにしたため、透過拡散板３６１にほぼ均一に拡散した光が入射しその透過拡散板３６１をほぼ均一の明るさに光らせている。またここでは、ＬＥＤ３８１から出射した光を反射させる反射板をその目的のみで設けるのではなく、スイッチモジュール３８２の一面を反射板として用いているため、余計な部品は不要であり、スペース上およびコスト上有利である。
【００２２】
以下、本発明の各種形態を付記する。
【００２３】
（付記１）
回路基板上に搭載され該回路基板表面に対し立設した発光面を有する発光部品と、
前記回路基板上の、前記発光面前方の、前記発光部品に隣接した位置に配置された、少なくとも前記発光面に対面する部分が金属表面からなる搭載部品と、
前記回路基板の、前記発光部品と前記搭載部品との間の空隙を含む領域を覆って外観の一部を形成する、光を透過拡散させる透過拡散板とを有することを特徴とする電子機器。
【００２４】
（付記２）
前記搭載部品が、切替レバーを有し該切替レバーの倒れた方向を検出するスイッチモジュールであることを特徴とする付記１記載の電子機器。
【００２５】
（付記３）
撮影レンズと、撮像素子と、操作を受けて合焦距離範囲を切り替えるとともに前記切替レバーに干渉する切替機構とを有するカメラモジュールを備え、
前記スイッチモジュールが、前記切替機構の、操作に応じた動きを検出するものであることを特徴とする付記２記載の電子機器。
【００２６】
（付記４）
前記発光素子が、前記回路基板表面に沿う方向に発光するＬＥＤであることを特徴とする付記１から３のうちいずれか１項記載の電子機器。
【００２７】
（付記５）
前記透過拡散板が、表面に金属膜が蒸着された光透過性樹脂からなることを特徴とする付記１から４のうちいずれか１項記載の電子機器。
【００２８】
（付記６）
当該電子機器が、無線電話機能を有する携帯電話機であることを特徴とする付記１から５のうちいずれか１項記載の電子機器。
【図面の簡単な説明】
【００２９】
【図１】携帯電話機の、開状態の正面図である。
【図２】図１と同じ携帯電話機の開状態の背面図である。
【図３】図１、図２と同じ携帯電話機の、閉状態の正面図である。
【図４】図３に示す円Ｒ１の部分を少し斜めに示した拡大図である。
【図５】図４と同じ部分を、透過拡散板を取り外して示した図である。
【図６】図４、図５と同じ部分を、カバーを取り外して回路基板を示した図である。
【図７】図３に示す円Ｒ２の部分を、カバーを取り外して示した平面図である。
【図８】カメラモジュール、スイッチモジュール、およびＬＥＤを結ぶ線分での断面図である。
【図９】図８に示す円Ｒ３の部分の拡大断面図である。
【符号の説明】
【００３０】
１０    携帯電話機
２０    操作ユニット
２４    放音口
３０    表示ユニット
３２    切替操作子
３５    撮影窓
３６    イルミネーション窓
３８    回路基板
３９    カメラモジュール
４０    ヒンジ部
５１    スピーカ
３６１    透過拡散板
３６２    開口
３８１    ＬＥＤ
３８１ａ    発光端面
３８２    スイッチモジュール
３８２ａ    切替レバー
３８２ｂ    対向面
３８３    間隙
３９１    切替機構
３９１ａ，３９１ｂ    アーム
３９２    撮影レンズ
【図１】
0005006843.tif 000002
【図２】
0005006843.tif 000003
【図３】
0005006843.tif 000004
【図４】
0005006843.tif 000005
【図５】
0005006843.tif 000006
【図６】
0005006843.tif 000007
【図７】
0005006843.tif 000008
【図８】
0005006843.tif 000009
【図９】
0005006843.tif 000010